(57)【要約】【課題】コイン状部材の送出口が前面に向くようコイン状部材送出装置が機器内に設置されるとき、機器の前面から差し込まれた不正操作部材によって、送出口からコイン状部材送出装置内の通過検出部を操作してコイン状部材の不要な送出動作が行なわれる。本発明は、悪戯による送出動作を防止する可動カバーを設ける技術の提供と、万一、不正操作部材による不正操作によって、可動カバーが送出通路から退避した状態を継続した場合、検出スイッチがこれを検出して、不正作動であると判断する技術を提供する。【解決手段】コイン状部材送出装置の送出部に、通過検出部よりも出口側に突出して出口側を塞ぎ、正規に通過するコイン状部材によって退避する可動カバーと、この可動カバーの退避状態を検出する検出スイッチを設け、この検出スイッチが所定時間以上継続作動したとき、コイン状部材送出装置の作動を停止する制御を行うこと。【選択図】図４
2008065689.tif 000002
【特許請求の範囲】
【請求項１】
複数の分離孔を形成してコイン状部材の収容部の底部に配置した送出ロータの回転によって前記収容部のコイン状部材を１枚ずつ送出部へ送出するよう構成され、前記送出部に送出されるコイン状部材の通過を検出する通過検出部を備えたコイン状部材送出装置において、前記送出部には前記通過検出部よりも出口側の位置で前記送出部へ突出して前記出口側を塞ぎ送出されるコイン状部材によって退避するように動作する可動カバーと、この可動カバーの退避状態を検出する検出スイッチを設け、この検出スイッチが所定時間以上継続作動したとき、前記コイン状部材送出装置が作動を停止することを特徴とするコイン状部材送出装置。
【請求項２】
複数の分離孔を形成してコイン状部材の収容部の底部に配置した送出ロータの回転によって前記収容部のコイン状部材を１枚ずつ送出部へ送出するよう構成され、前記送出部に送出されるコイン状部材の通過を検出する通過検出部を備えたコイン状部材送出装置において、前記通過検出部は、コイン状部材の通過によって往復作動する可動体と、この可動体の作動によって動作する検出スイッチ部を備え、前記送出部には前記可動体よりも出口側の位置で前記送出部に下方から突出して前記送出部を塞ぎ送出されるコイン状部材によって前記送出部から退避するように動作する可動カバーと、この可動カバーの下降状態を検出する検出スイッチを設け、この検出スイッチが所定時間以上継続作動したとき、前記コイン状部材送出装置が作動を停止することを特徴とするコイン状部材送出装置。
【請求項３】
ベース部材上にコイン状部材の収容部を設け、複数の分離孔を形成して前記ベース部材上に配置した送出ロータの回転によって前記収容部のコイン状部材を１枚ずつ送出部へ送出すると共に、前記送出部に送出されるコイン状部材の通過を検出する通過検出部を備えたコイン状部材送出装置において、前記通過検出部は、コイン状部材の通過によって往復作動する可動体と、この可動体の作動によって動作する検出スイッチ部を備え、前記送出部の入口部において固定部とコイン状部材が当接する前記可動体の作用部とでコイン状部材の直径よりも若干小さい間隔の通路幅を形成し、前記通路幅を維持するよう前記可動体がバネ付勢され、前記送出部に送出されるコイン状部材が前記バネ力に抗して前記通路幅を広げる方向に前記可動体の作用部を押し退けつつ進むことによって前記検出スイッチ部が動作し、前記送出部には前記可動体よりも出口側の位置で通常前記送出部に下方から突出して前記送出部を塞ぎ送出されるコイン状部材によって前記送出部から退避するように動作する可動カバーと、この可動カバーの下降状態を検出する検出スイッチを設け、この検出スイッチが所定時間以上継続作動したとき、前記コイン状部材送出装置が作動を停止することを特徴とするコイン状部材送出装置。
【請求項４】
前記検出スイッチは、前記可動カバーから延びたスイッチ作動部によって、発光部から受光部への光通路が開放又は遮断される光スイッチ構成であることを特徴とする請求項１乃至３のいずれかに記載のコイン状部材送出装置。
【発明の詳細な説明】
【技術分野】
【０００１】
本発明は、ベース部材上に設けた貯蔵容器（ホッパ）内のコイン状部材をベース部材上に配置した送出ロータの回転によって１枚ずつ送出する送出装置に関する。
【背景技術】
【０００２】
貯蔵容器に貯留した硬貨、遊技用メダル等のコイン状部材を貯蔵容器の底部に設けたロータの回転によって１枚ずつ送出する送出装置がある。その代表的な構成として、硬貨、遊技用メダル等のコイン状部材を貯蔵する貯蔵容器（ホッパ）の底部には、電動機装置によって一方向へ回転する円盤状の送出ロータが設けられ、この送出ロータには複数の分離孔が略等間隔に同心円上に配置され、この送出ロータの回転に伴って、複数の分離孔にそれぞれコイン状部材が順次入りつつ、分離孔に入ったコイン状部材は、分離孔の底部から送出ロータの円周方向へ１枚ずつ押し出されて、送出口からコイン状部材が１枚ずつ送出される。（例えば、特許文献１参照）。
【０００３】
この特許文献１のコイン状部材送出装置は、コイン状部材の送出口が前面に向く状態で遊技機やコイン状部材貸機等の機器内に設置され、送出口から送出されるコイン状部材をガイド樋を経て、この機器の前面に設けた受け皿へ導入するように構成される。この場合、機器の前面に設けた受け皿から送出口へ挿入される針金等によって計数手段等が操作され、コイン状部材送出装置からコイン状部材が騙し取られることがあるため、これの防止策として、送出口の大きさを制限するカバー部材を螺子により取り付けるものである。
【特許文献１】特開２００４−３１８５９５号公報
【発明の開示】
【発明が解決しようとする課題】
【０００４】
この特許文献１のコイン状部材送出装置は、そのコイン状部材の送出口の大きさを制限するカバー部材を設けるため、このカバー部材がない場合に比して、コイン状部材の騙し取り防止効果はある。しかし、このカバー部材にはコイン状部材が通過する長穴状の通過穴が形成されているため、機器の前面に設けた受け皿から挿入された長尺の板状体や針金のような金属棒状部材等を操作して、この長穴状の通過穴を通過させることによって、計数手段等が操作され、コイン状部材送出装置の誤作動によって、コイン状部材が騙し取られることが起こり得る。
【０００５】
本発明は、このような点に鑑みて、遊技機やコイン状部材貸機等の機器の前面に設けた受け皿から板状部材や金属棒状部材等を挿入しても、送出口を通してコイン状部材の送出装置内のコイン状部材の計数手段である通過検出部が誤作動状態に操作されて、コイン状部材の不要な送出動作による騙し取りが行なわれるのを防止する可動カバーを送出通路へ突出ように設けて、不正操作を防止する技術を提供する。そして、万一、不正操作部材による不正操作が行なわれて、可動カバーが送出通路から退避した状態を継続した場合、検出スイッチがこの状態を検出することによって、不正作動であると判断する技術を提供するものである。
【課題を解決するための手段】
【０００６】
第１発明のコイン状部材送出装置は、複数の分離孔を形成してコイン状部材の収容部の底部に配置した送出ロータの回転によって前記収容部のコイン状部材を１枚ずつ送出部へ送出するよう構成され、前記送出部に送出されるコイン状部材の通過を検出する通過検出部を備えたコイン状部材送出装置において、前記送出部には前記通過検出部よりも出口側の位置で前記送出部へ突出して前記出口側を塞ぎ送出されるコイン状部材によって退避するように動作する可動カバーと、この可動カバーの退避状態を検出する検出スイッチを設け、この検出スイッチが所定時間以上継続作動したとき、コイン状部材送出装置が作動を停止することを特徴とする。
【０００７】
第２発明のコイン状部材送出装置は、複数の分離孔を形成してコイン状部材の収容部の底部に配置した送出ロータの回転によって前記収容部のコイン状部材を１枚ずつ送出部へ送出するよう構成され、前記送出部に送出されるコイン状部材の通過を検出する通過検出部を備えたコイン状部材送出装置において、前記通過検出部は、コイン状部材の通過によって往復作動する可動体と、この可動体の作動によって動作する検出スイッチ部を備え、前記送出部には前記可動体よりも出口側の位置で前記送出部に下方から突出して前記送出部を塞ぎ送出されるコイン状部材によって前記送出部から退避するように動作する可動カバーと、この可動カバーの下降状態を検出する検出スイッチを設け、この検出スイッチが所定時間以上継続作動したとき、前記コイン状部材送出装置が作動を停止することを特徴とする。
【０００８】
第３発明のコイン状部材送出装置は、ベース部材上にコイン状部材の収容部を設け、複数の分離孔を形成して前記ベース部材上に配置した送出ロータの回転によって前記収容部のコイン状部材を１枚ずつ送出部へ送出すると共に、前記送出部に送出されるコイン状部材の通過を検出する通過検出部を備えたコイン状部材送出装置において、前記通過検出部は、コイン状部材の通過によって往復作動する可動体と、この可動体の作動によって動作する検出スイッチ部を備え、前記送出部の入口部において固定部とコイン状部材が当接する前記可動体の作用部とでコイン状部材の直径よりも若干小さい間隔の通路幅を形成し、前記通路幅を維持するよう前記可動体がバネ付勢され、前記送出部に送出されるコイン状部材が前記バネ力に抗して前記通路幅を広げる方向に前記可動体の作用部を押し退けつつ進むことによって前記検出スイッチ部が動作し、前記送出部には前記可動体よりも出口側の位置で前記送出部に下方から突出して前記送出部を塞ぎ送出されるコイン状部材によって前記送出部から退避するように動作する可動カバーと、この可動カバーの下降状態を検出する検出スイッチを設け、この検出スイッチが所定時間以上継続作動したとき、前記コイン状部材送出装置が作動を停止することを特徴とする。
【０００９】
第４発明のコイン状部材送出装置は、第１発明乃至第３発明のいずれかにおいて、前記検出スイッチは、前記可動カバーから延びたスイッチ作動部によって、発光部から受光部への光通路が開放又は遮断される光スイッチ構成であることを特徴とする。
【発明の効果】
【００１０】
第１発明では、可動体よりも出口側の位置に設けたコイン状部材の通過を検出する通過検出部が、通常突出して送出部を塞いでいる可動カバーによって保護されるため、板状部材や金属棒状部材等によって通過検出部が操作されることを防止できるが、万一、不正操作部材による不正操作が行なわれて、可動カバーが退避状態を継続した場合にも、検出スイッチがこの状態を検出することによって、不正作動であると判断するため、不正を速やかにキャッチしてコイン状部材送出装置の作動を停止することができるものとなる。また、この発明によって、コイン状部材が送出部に詰まった異常状態もキャッチでき、機器の破損防止効果も奏するものとなる。
【００１１】
第２発明では、可動体よりも出口側の位置に設けたコイン状部材の通過を検出する通過検出部が、通常突出して送出部を塞いでいる可動カバーによって保護されるため、板状部材や金属棒状部材等によって通過検出部が操作されることを防止できるが、万一、不正操作部材による不正操作が行なわれて、可動カバーが下降状態を継続した場合にも、検出スイッチがこの状態を検出することによって、不正作動であると判断するため、不正を速やかにキャッチしてコイン状部材送出装置の作動を停止することができるものとなる。また、この発明によって、コイン状部材が送出部に詰まった異常状態もキャッチでき、機器の破損防止効果も奏するものとなる。
【００１２】
第３発明では、第２発明の効果に加えて、固定部と可動体の作用部とで形成される送出部の入口部の通路幅が、コイン状部材の直径よりも若干小さい間隔であるように可動体がバネ付勢されているため、送出されるコイン状部材がバネ力に抗して通路幅を広げる方向に可動体の作用部を押し退けつつ進むことによって、コイン状部材が送出出口方向へ弾き飛ばされる。これによって、コイン状部材の連続した送出が高速で行なえ、通過検出部での安定した検出動作ができる。万一、不正操作部材による不正操作が行なわれて、可動カバーが下降状態を継続した場合にも、検出スイッチがこの状態を検出することによって、不正作動であると判断するため、不正を速やかにキャッチしてコイン状部材送出装置の作動を停止することができるものとなる。また、この発明によって、コイン状部材が送出部に詰まった異常状態もキャッチでき、機器の破損防止効果も奏するものとなる。
【００１３】
第４発明では、第１発明乃至第３発明の効果に加えて、検出スイッチは、可動カバーから延びたスイッチ作動部によって、発光部から受光部への光通路が開放又は遮断される光スイッチ構成であるため、可動カバーの位置検出が安定して行なえるものとなる。
【発明を実施するための最良の形態】
【００１４】
本発明のコイン状部材送出装置は、複数の分離孔を形成してコイン状部材の収容部の底部に配置した送出ロータの回転によって前記収容部のコイン状部材を１枚ずつ送出部へ送出するよう構成され、前記送出部に送出されるコイン状部材の通過を検出する通過検出部を備えたコイン状部材送出装置において、前記送出部には前記通過検出部よりも出口側の位置で前記送出部へ突出して前記出口側を塞ぎ送出されるコイン状部材によって退避するように動作する可動カバーと、この可動カバーの退避状態を検出する検出スイッチを設け、この検出スイッチが所定時間以上継続作動したとき、前記コイン状部材送出装置が作動を停止するものであり、本発明の実施例を以下に記載する。
【実施例１】
【００１５】
次に、本発明の実施の形態について説明する。図１は本発明に係るコイン状部材送出装置を備えた遊技機の開扉正面斜視図、図２は本発明に係るコイン状部材送出装置の送出ロータと送出部の関係を示す平面図、図３は本発明に係る通過検出部の構成を示す側面図、図４は本発明に係る可動カバー部分の構成を示す部分断面の側面図、図５は本発明に係る送出ロータの裏側斜視図、図６は本発明に係る送出ロータの部分側面図、図７は本発明に係るコイン状部材送出装置を備えたメダル貨機を遊技機に併設した正面図、図８は本発明に係る可動カバーがコイン状部材によって下降した状態を示す部分断面の側面図、図９は本発明に係る可動カバーが不正操作部材によって下降した状態を示す部分断面の側面図、図１０は本発明に係る検出スイッチ部分の構成を示す斜視図、図１１は本発明に係るコイン状部材送出装置を備えた他の形態のメダル貨機の前面斜視図である。
【００１６】
本発明の実施形態を図１乃至図６に基づき説明する。１は硬貨、遊技用メダル等のコイン状部材１００を使用して遊技するための遊技機であり、図１に示すものは、コイン状部材（遊技用メダル）１００を使用するスロットマシンやパチスロ機である遊技機１の扉を開いた状態の正面図である。遊技機１内には、遊技機１で使用するコイン状部材（遊技用メダル）１００を収納し、必要に応じて所定数のコイン状部材（遊技用メダル）１００を送出する機能のコイン状部材送出装置２が設置されている。
【００１７】
コイン状部材送出装置２は、基材として、金属製の架台３の上に合成樹脂製のベース部材４が取り付けられており、金属製の架台３の左右両側フランジ部がネジ３１によって遊技機１の金属壁に固定されることによって、遊技機１内に設置される。コイン状部材送出装置２の稼動によって、後述の貯蔵容器（ホッパ）５Ｐ内のコイン状部材１００が静電気を帯びるため、この静電気を逃がすために、貯蔵容器（ホッパ）５Ｐ内の導電部材と電気的に接続された金属製の架台３が、導電性ネジ３１によって遊技機１の金属壁に固定され、この静電気が逃げる仕組みである。コイン状部材送出装置２は、ネジ３１を外して取っ手３５によって前方へ引き出せる。
【００１８】
コイン状部材送出装置２は以下の構成をなす。即ち、金属製の架台３の上に配置されるベース部材４上には、円形状のコイン状部材１００を収納する収容部５を形成する合成樹脂製の貯蔵容器（ホッパ）５Ｐが、ベース部材４に対してネジ又はその他の係止装置によって着脱自在に取り付けられている。貯蔵容器（ホッパ）５Ｐは、上面と下面にそれぞれ開口５Ａ、５Ｂを有し、下面開口５Ｂは略円形をなす。この下面開口５Ｂに対応してベース部材４上には、複数の分離孔１０を形成した合成樹脂製の送出ロータ７が配置され、送出ロータ７は、ベース部材４の下側に取り付けた電動機装置８の回転軸９の先端部に取り付けられている。この構成によって、収容部５の底部に送出ロータ７が配置された状態となる。電動機装置８は、電動機とそれによって回転される複数の歯車の組み合わせで構成され、回転軸９を所定回転数で回転させる構成である。
【００１９】
回転軸９の先端部に取り付けられた送出ロータ７は、図２及び図４に示すように、ベース部材４の上面に形成した円形状壁４Ａに周囲面が近接状態に囲まれる配置であり、電動機８Ａとそれによって回転する歯車機構を含む電動機装置８によって、円形状壁４Ａの内側でＲ方向へ回転する構成である。送出ロータ７の上面周縁部と周囲面と若干の間隔を存して送出ロータ７の上面周縁部と周囲面を覆うようにロータガイドリング２０が設けられている。ロータガイドリング２０は、円形状壁４Ａの延長上方に円形状壁２０Ａを形成しており、円形状壁４Ａを取り囲むようにベース部材４上に載置され、周縁フランジ部がベース部材４に間隔を存して複数個所に形成した係止爪部２１によってベース部材４の所定位置に保持される。送出ロータ７の上方にあってロータガイドリング２０の円形状壁２０Ａの内側には、貯蔵容器（ホッパ）５Ｐの下面開口５Ｂ部分が嵌合された状態で、貯蔵容器（ホッパ）５Ｐがベース部材４に取り付けられる。
【００２０】
図５及び図６に示すように、送出ロータ７は、同心円上に複数の分離孔１０（図示のものは５個の分離孔１０を有する）を略等間隔に配置した円盤状をなし、各分離孔１０は、コイン状部材１００の直径よりも若干大きい直径でもって送出ロータ７を上下に円形状に貫通し、上側周縁部には回転方向Ｒの下流側に向かって下向きの傾斜状に広がった案内面１１を形成している。また、各分離孔１０の下側周縁部には、送出ロータの周縁に臨む開放出口１０Ａを形成し、この開放出口１０Ａの回転方向Ｒの下流側には、送出ロータ７の周縁へ延びる流線型の押し出し壁１２を形成している。
【００２１】
ベース部材４の上面には、送出ロータ７を取り囲む円形状壁４Ａが切れた部分に、コイン状部材１００の送出部１３が形成されている。ベース部材４の上面には、送出部１３に対応した内側位置において、分離孔１０に対応する回転軌跡上に、円錐状の送出案内ピン２６が設けられている。このため、送出ロータ７の下面には、この送出案内ピン２６が衝突しないように、ベース部材４との間に回転軸９を中心とした円形の空間２７が形成されている。
【００２２】
この構成によって、送出ロータ７の回転によって、貯蔵容器（ホッパ）５Ｐ内のコイン状部材１００は、１枚ずつ分離して分離孔１０に順次入り込み、分離孔１０の底部に入り込んだコイン状部材１００は、送出ロータ７の回転に伴ってベース部材４の上面を滑りつつ押し出し壁１２によって、開放出口１０Ａから送出ロータ７の外方へ押し出され、ベース部材４の上面に形成した送出部１３へ入る。このため、送出ロータ７は払い出し盤として機能する。
【００２３】
送出部１３の入口部には、送出ロータ７から外方へ押し出されるコイン状部材１００が最初に通過する位置に、コイン状部材１００の通過を検出する通過検出部ＣＫを設けている。この通過検出部ＣＫは、コイン状部材１００の通過によって往復作動する可動体１６と、この可動体１６の作動によって動作する検出スイッチ部２３を備えている。
【００２４】
送出部１３の入口部の通路幅Ｔ０は、この通路幅Ｔ０を形成する一方の壁が、可動体１６で構成されている。具体的には、この通路幅Ｔ０は、コイン状部材１００が当接する可動体１６の作用部（後述のローラ１６Ａ）と、可動体１６に対応配置の固定部１５との間隔で形成され、この通路幅Ｔ０は、コイン状部材１００の直径よりも若干小さい間隔を存して、固定部１５と可動体１６が配置されている。
【００２５】
固定部１５は、可動体１６に対応する送出部１３の入口部において、送出ロータ７の回転方向（Ｒ）手前側に位置し、可動体１６との間に通路幅Ｔ０を形成するように山形にベース部材４の上面から突出し、この山形突出部１５Ａから送出ロータ７の回転方向（Ｒ）手前側に向けて、なだらかな曲線の案内面１５Ｂを形成し、送出ロータ７から送出されるコイン状部材１００が案内面１５Ｂに沿って送出部１３の入口部に誘導される。耐磨耗性を考慮して固定部１５をステンレススチール等の金属製とすることもできる。
【００２６】
可動体１６は、固定部１５に対して送出ロータ７の回転方向（Ｒ）前方側に位置し、コイン状部材１００によって押し圧作動されるように復帰作用バネ１７で付勢された状態に設けられている。可動体１６は、略Ｖ字状又は略Ｌ字状の可動アーム１９の中央部がベース部材４の上壁の下側に軸支持部１８で回転可能に支持され、図３に示すように、可動アーム１９の一方の腕辺に立設した軸１９Ａが、ベース部材４の上壁に形成した弧状スリット４Ｓを貫通し、この貫通した軸１９Ａに回転可能に取り付けた円筒状のローラ１６Ａが送出部１３に臨み、可動アーム１９の他方の腕辺はベース部材４の下側に設けた検出スイッチ部２３の作動部１６Ｂとして作用する。可動アーム１９は一端がベース部材４に保持されたバネ１７の引っ張り力によって引っ張られており、この状態で、可動体１６のローラ１６Ａは固定部１５との間にコイン状部材１００の直径よりも若干小さい間隔を維持している。
【００２７】
検出スイッチ部２３は、図２及び図３に示すように、発光部２４と受光部２５で構成された光スイッチであり、可動アーム１９がコイン状部材１００によって回動する前の状態（待機状態という）では、可動アーム１９の作動部１６Ｂが発光部２４から受光部２５へ到達する光通路を遮った状態である。
【００２８】
送出ロータ７の回転に伴って分離孔１０の底部に入り込んだコイン状部材１００は、送出案内ピン２６に衝突する。この衝突によってそのコイン状部材１００の移動が阻止されるため、送出ロータ７の回転に伴って、そのコイン状部材１００は送出ロータ７の下側へ潜り込んで押し出し壁１２によって押されつつ、開放出口１０Ａから送出ロータ７の外方へ移動して、固定側壁１５の内側の傾斜面１５Ｂに当接し、押し出し壁１２によって押されて回転しつつ押し出される。このようにして送出ロータ７の外方へ押し出されたコイン状部材１００は、送出案内ピン２６に衝突して送出部１３へ向かい、ローラ１６Ａに当接してバネ１７の引っ張り力に抗して可動体１６を回動させる。即ち、送出ロータ７の外方へ押し出されたコイン状部材１００は、ローラ１６Ａをバネ１７の引っ張り力に抗してローラ１６Ａ１の状態に押し退けつつ進み、コイン状部材１００の直径部が通過したとき、バネ１７の引っ張り力によって復帰する可動体１６のローラ１６Ａによって、固定側壁１５の山部を越えて送出出口１４方向へ弾き飛ばされる。この弾き飛ばされたコイン状部材１００は、送出出口１４から送出される。これによって、１秒間に６枚のコイン状部材を連続して送出するような高速送出が行なえ、通過検出部での安定した検出動作ができる。
【００２９】
このように、コイン状部材１００がローラ１６Ａに当接してバネ１７の引っ張り力に抗して可動体１６が回動することによって、前記待機状態にあった可動アーム１９の作動部１６Ｂが発光部２４から受光部２５へ到達する光通路を遮った状態から外れて、発光部２４の光が受光部２５に到達する状態となる。この受光部２５の動作によって、電装ボックス３４内に設けた制御部３４Ａの計数部（図示せず）が動作して、１枚のコイン状部材１００が通過したことを計数する。この制御部３４Ａは、送出装置２の動作やその他の制御も行う。
【００３０】
このように、送出ロータ７の回転に伴ってコイン状部材１００が１枚ずつ送出されるため、その都度、可動体１６が回動してコイン状部材１００の通過枚数を計数することができる。このため、遊技客によって１回の遊技で使用される単位金額に応じて送出するコイン状部材１００の所定枚数を予め設定しておけば、この計数値がこの所定枚数に達したとき、前記制御部によって電動機装置８の回転を停止するように構成すれば、安定した送出動作が得られる。
【００３１】
送出出口１４から送出されるコイン状部材１００は、誘導樋（図示せず）を通って遊技機１の前面に設けた受け皿１Ｄへ導入される。このため、コイン状部材送出装置２は、図１に示すように、コイン状部材１００の送出出口１４が前面に向くように遊技機１内に設置される。この構成において、遊技客が遊技のために遊技機１のコイン状部材挿入口（図示せず）へ挿入されたコイン状部材１００は、前記制御部に設けた選別計数装置を経てガイド樋３２を立った状態で転動しつつ、ガイド樋３２の出口３２Ａから貯蔵容器（ホッパ）５Ｐの上面開口５Ａの前面壁に形成した入口開口５Ｅから貯蔵容器（ホッパ）５Ｐ内へ収容される。
【００３２】
貯蔵容器（ホッパ）５Ｐは、入口開口５Ｅからオーバーフロー出口５Ｘに向けて低くなるように、樋状のオーバーフローガイド部材３３が傾斜設置されている。貯蔵容器（ホッパ）５Ｐ内が満杯状態になると、オーバーフローのコイン状部材１００は、オーバーフローガイド部材３３を滑ってオーバーフロー出口５Ｘから回収ボックス３６へ収納される。
【００３３】
上記のように、コイン状部材送出装置２は、コイン状部材１００の送出出口１４が前面に向くように遊技機１内に設置されるため、遊技機１の前面に設けた受け皿１Ｄから差し込まれた板状部材や金属棒状部材等の不正操作部材４５によって、送出出口１４を通して可動体１６が押されて回動した状態のままに保持される虞がある。送出ロータ７の回転によってコイン状部材１００の送出動作中において、可動体１６が押されて回動した状態のままに保持されると、検出スイッチ部２３では、送出されるコイン状部材１００の枚数の検出ができない。そのため、前記制御部の計数部による計数値が所定枚数に達せず、いつまでも電動機装置８が送出ロータ７を回転し、コイン状部材１００の送出がいつまでも続くこととなり、所謂、不正にコイン状部材１００が取り出されることとなる。
【００３４】
本発明は、このような不正操作部材４５による悪戯により通過検出部ＣＫが操作されて、不正にコイン状部材１００が取り出されることを防止する構成を備えている。このため、送出部１３には、通過検出部ＣＫよりも出口側の位置に突出して出口側を塞ぎ、正規に通過するコイン状部材１００によって退避するように動作する可動カバー４０を設けた構成である。以下、これに係る構成を説明する。
【００３５】
具体的には、本発明では、可動体１６のローラ１６Ａよりも送出出口１４側の位置において、常時、送出部１３に突出して送出部１３を塞ぎ、送出部１３を通過するコイン状部材１００によって送出部１３から退避するように動作する可動カバー４０を設ける。
【００３６】
可動カバー４０は、送出部１３の下壁の下側に配置されるように、一端部の軸部４０Ｂが、ベース部材４の下面にネジ４２で取り付けた支持部材４Ｂの軸支持部４Ｂ１に回動可能に支持されている。支持部材４Ｂの中間部には環状ボス４Ｃ１が形成され、可動カバー４０には、この環状ボス４Ｃ１の対向位置に環状ボス４Ｃ２が形成されている。環状ボス４Ｃ１と４Ｃ２に嵌るように、コイルバネ４１が若干の圧縮状態で支持されている。この構成によって、可動カバー４０はベース部材４の下面に当接するようにコイルバネ４１によって上方へ付勢されており、このバネ４１による付勢によって、可動カバー４０の先端の防護壁４０Ａの上端は、送出部１３の底壁のスリットを貫通して送出部１３に突出して、送出部１３の上壁をなすロータガイドリング２０に形成した窪み１３Ａに侵入した状態であり、防護壁４０Ａの左右幅は送出部１３の左右幅に渡る長さである。このため、送出出口１４から見た送出部１３を塞いだ状態である。防護壁４０Ａの内側面には、送出部１３を移動するコイン状部材１００の送出方向に向けて、後方から前方へ向けて徐々に上方へ向けて傾斜した傾斜案内面４０Ｃを形成している。
【００３７】
このような構成によって、可動カバー４０は、通常状態ではコイルバネ４１によって上方へ付勢されてベース部材４の上壁の下側に当接し、先端の防護壁４０Ａが送出部１３に突出して、その上端が窪み１３Ａに侵入した状態であり、送出出口１４から見た送出部１３を塞いだ状態にある。送出ロータ７の回転に伴ってコイン状部材１００が１枚ずつ送出され、可動体１６のローラ１６Ａを押し退けつつコイン状部材１００が送出出口１４へ向かう。送出部１３の上壁と下壁の間隔は、コイン状部材１００の厚さより若干大きい寸法であるため、送出出口１４へ向かうコイン状部材１００の先端部が傾斜案内面４０Ｃに当接しつつ、防護壁４０Ａをコイルバネ４１の付勢力に抗して押し下げる。このため、送出されるコイン状部材１００は、その下面で防護壁４０Ａを押し下げたまま通過する。
【００３８】
送出ロータ７の回転に伴ってコイン状部材１００が１枚ずつ送出されることによって、その都度、可動カバー４０は、コイルバネ４１の付勢力に抗して押し下げられるが、もし、複数枚のコイン状部材１００が連なって送出されるときは、防護壁４０Ａは殆んど押し下げられた状態で、その複数枚のコイン状部材１００が連続して送出されることとなる。
【００３９】
このように、送出部１３を通ってコイン状部材１００が送出されないときは、可動カバー４０は、バネ４１によって上方へ付勢されて、先端の防護壁４０Ａが送出部１３に突出して、送出部１３を塞いだ状態にある。このため、遊技機１の前面に設けた受け皿１Ｄから差し込まれた不正操作部材４５は、先端の防護壁４０Ａに衝突し、それ以上送出部１３の奥側へ挿入できず、可動体１６のローラ１６Ａが、差し込まれた不正操作部材４５によって押されることがない。そして、送出ロータ７の回転に伴ってコイン状部材１００が１枚ずつ送出されるときは、そのコイン状部材１００によって可動カバー４０を押し下げて、防護壁４０Ａを送出部１３から退避させる。このため、通常のコイン状部材１００の送出動作は確保され、コイン状部材１００の送出動作が行なわれない待機状態では、送出部１３を塞いで悪戯を防止できることとなる。
【００４０】
また、可動カバー４０がコイルバネ４１によって上方へ付勢された状態で、防護壁４０Ａの上端が窪み１３Ａに侵入した状態である。このようにすることによって、遊技機１の前面に設けた受け皿１Ｄから差し込まれた不正操作部材４５によって、防護壁４０Ａの上端を下方へ押して、送出部１３から防護壁４０Ａを退避させる操作の防止が良好となる。
【００４１】
上記の実施例では、コイン状部材１００の通過を検出する通過検出部ＣＫは、コイン状部材１００の通過によって往復作動する可動体１６と、この可動体１６の作動によって動作する検出スイッチ部２３で構成しているが、これに替えて、送出部１３を通過するコイン状部材１００の通過検出を、稼動部を有しない静止状態で検出する光センサを送出部１３に設け、この光センサをコイン状部材１００が通過する度に、計数回路部が計数するように構成したものでもよい。この光センサは、検出スイッチ部２３と同様に発光部と受光部で構成され、送出部１３を通過するコイン状部材１００によって、発光部から受光部へ到達する光通路を遮る度に計数するように構成される。この場合も、送出部１３には、通過検出部ＣＫよりも出口側の位置に突出して出口側を塞ぎ、正規に通過するコイン状部材１００によって退避するように動作する可動カバー４０を設けた構成となる。
【００４２】
上記のように、可動カバー４０を設けることによって、遊技機１の前面に設けた受け皿１Ｄから差し込まれた不正操作部材４５による通過検出部ＣＫの不正操作を防止できる。しかし、このような構成であっても、巧妙な手口でもって不正操作部材４５を操作し、通過検出部ＣＫが不正操作される場合の対策が必要である。本発明は、このような場合の不正による異常を検出し異常と判定するための技術を以下に説明する。
【００４３】
上記のように、送出ロータ７の回転に伴ってコイン状部材１００が１枚ずつ送出されることによって、その都度、可動カバー４０は、コイルバネ４１の付勢力に抗して送出部１３から退避するように押し下げられる。この可動カバー４０の下降状態を検出するために、検出スイッチ４３を設けている。検出スイッチ部４３は、図１０に示すように、可動カバー４０から下方に延びたスイッチ作動部４０Ｄによって作動されるように、支持部材４Ｂの先端部に取り付けられている。検出スイッチ部４３は、発光部４３Ａと受光部４３Ｂが作動空間４４を存して対向配置されるように、発光部４３Ａと受光部４３Ｂが透光製樹脂のホルダ４３Ｃに埋設された光スイッチの構成である。
【００４４】
このため、可動カバー４０がコイルバネ４１によって上方へ付勢されて、ベース部材４の上壁の下側に当接した状態（コイン状部材１００によって下降していない状態）では、図４に示すように、スイッチ作動部４０Ｄが作動空間４４の外に位置し、発光部４３Ａから受光部４３Ｂへの光通路が開放された状態であり、検出スイッチ部４３は不作動状態である。そして、図８に示すように、送出ロータ７の回転に伴って送出部１３へ押し出されたコイン状部材１００によって、防護壁４０Ａが押されてコイルバネ４１の付勢力に抗して送出部１３から退避するように可動カバー４０が押し下げられることによって、スイッチ作動部４０Ｄが作動空間４４へ進入し、発光部４３Ａから受光部４３Ｂへの光通路が遮断され、検出スイッチ部４３が作動状態となる。このように、可動カバー４０の上下動が検出スイッチ部４３によって検出される。
【００４５】
巧妙な手口でもって、遊技機１の前面に設けた受け皿１Ｄから差し込まれた不正操作部材４５を操作し、通過検出部ＣＫが不正操作されるためには、可動カバー４０が押し下げられなければ、この不正操作は行なわれない。このため、図９に示すように、不正操作によって可動カバー４０が送出部１３から退避するように押し下げられれば、スイッチ作動部４０Ｄが作動空間４４へ進入し、発光部４３Ａから受光部４３Ｂへの光通路が遮断され、検出スイッチ部４３が作動状態となる。このように、可動カバー４０の上下動が検出スイッチ部４３によって検出される。
【００４６】
このように、検出スイッチ部４３は、送出ロータ７の回転に伴って送出部１３へ押し出されたコイン状部材１００によって可動カバー４０が送出部１３から退避するように押し下げられることによって作動し、また、不正操作部材４５による不正操作によって可動カバー４０が送出部１３から退避するように押し下げられることによっても作動する。このため、検出スイッチ部４３が作動したことのみでは、いずれの場合が不正操作であるか判断できない。このため、いずれの作動状態が不正操作であるかの判定が必要である。
【００４７】
そのため、検出スイッチ部４３の作動継続時間によって、コイン状部材１００の送出による正常な作動か、不正操作による異常作動かの判定を前述の電装ボックス３４内に設けた制御部３４Ａ、又は後述の制御部６１の判定手段によって行う。送出ロータ７の回転に伴ってコイン状部材１００が１枚ずつ送出される正常な作動において、コイン状部材１００によって可動カバー４０が押し下げられることによって作動する検出スイッチ部４３の作動時間ＴＡに対して、不正操作によって可動カバー４０が押し下げられることによって作動する検出スイッチ部４３の作動時間ＴＢは、かなり長くなることに着目し、この時間差によって、正常な作動か、不正操作による異常作動かの判定を行なう。
【００４８】
正常作動時間ＴＡは、通常１００ｍｓｅｃ（１００ミリ秒）程度かそれ以下であるため、それより十分長い時間、例えば、２００ｍｓｅｃ（２００ミリ秒）以上の作動時間となれば、不正操作によって異常作動した異常状態であるとの判定を前記判定手段によって行う。この判断によって、電動機装置８を停止してコイン状部材送出装置２の作動を停止する。また、これと共に、遊技機１やメダル貸機ＭＫの前面に設けた警報機を作動（表示ランプの点灯やブザーをＯＮ）させ、また、遊技施設内の管理室内の表示部の警報表示や警報機を作動させる。
【００４９】
また、高速送出を行なうコイン状部材送出装置２において、複数枚のコイン状部材１００が連なって送出されるとき、防護壁４０Ａは殆んど押し下げられた状態となることが考慮される。この場合、通常、１０００円貨幣の投入によって行われる一回のコイン状部材１００の送出枚数は５０枚であるため、その送出時間も８〜９秒程度で１０秒以下である。このため、このような場合の正常作動時間ＴＡは、例えば、１０ｓｅｃ（１０秒）とし、それより十分長い時間、例えば、１２ｓｅｃ（１２秒）以上の作動時間となれば、不正操作によって異常作動した異常状態であるとの判定を前記判定手段によって行うように設定すればよい。この判断によって、電動機装置８を停止してコイン状部材送出装置２の作動を停止する。また、これと共に遊技機１やメダル貸機ＭＫの前面に設けた警報機を作動（表示ランプの点灯やブザーをＯＮ）させ、また、遊技施設内の管理室内の表示部の警報表示や警報機を作動させればよい。
【００５０】
また、何らかの原因によって、コイン状部材１００が送出部１３に詰まった場合の検出を上記の技術によって行うことができる。即ち、送出部１３に詰まったコイン状部材１００によって、正常作動時間ＴＡよりも十分長い所定時間以上、検出スイッチ部４３の作動が継続したとき、前記判定手段によって異常状態であるとの判定を行うように設定すればよい。この判断によって、電動機装置８を停止してコイン状部材送出装置２の作動を停止する。また、これと共に遊技機１やメダル貸機ＭＫの前面に設けた警報機を作動（表示ランプの点灯やブザーをＯＮ）させ、また、遊技施設内の管理室内の表示部の警報表示や警報機を作動させればよい。これによって、コイン状部材１００が送出部１３に詰まった異常状態もキャッチでき、機器の破損防止効果を奏するものとなる。
【００５１】
上記実施例では、コイン状部材送出装置２を遊技機１内に設置した構成を説明したが、これに限らず、図７に示すように、コイン状部材送出装置２を遊技機１に併設されるメダル貨機ＭＫ内に設置したタイプにも、本発明の悪戯による不正送出動作を防止する上記機能を適用できる。メダル貸機ＭＫは、挿入部１１１へ挿入された紙幣やプリペイドカード等の識別機能を有する識別装置１１０と、所定枚数のメダル１００を供給するメダル送出装置２と、電装部６０等が収納されている。電装部６０は、送出装置２の動作やその他の制御を行う制御部６１を含む。メダル貨機ＭＫの挿入部１１１へ紙幣やプリペイドカード等を挿入することによって識別装置１１０で識別し、所定枚数のコイン状部材であるメダル１００を送出装置２の送出部１３から送出し、この送出されたメダル１００をガイド樋２Ｎを通して、遊技機１の前面の受け皿１Ｄへ払い出す。この構成においても、本発明の悪戯による不正送出動作を防止する機能を備えたコイン状部材送出装置２は適用可能である。
【００５２】
また、コイン状部材送出装置２を内蔵したメダル貨機ＭＫとしては、上記のように、遊技機１に併設される形態と、遊技場の所定の場所に設置される形態がある。いずれの場合も、図７に示すようなガイド樋２Ｎによって、コイン状部材送出装置２から送出されるメダル１００を遊技機１の前面の受け皿１Ｄへ払い出すのではなく、図１１に示すように、コイン状部材送出装置２から送出されるメダル１００をメダル貨機ＭＫの前面に設けた受け皿５１へ払い出す構成にも、本発明の悪戯による不正送出動作を防止する機能を備えたコイン状部材送出装置２は適用可能である。
【００５３】
なお、このように、コイン状部材送出装置２をメダル貨機ＭＫ内に設置する場合、コイン状部材送出装置２の基材として、金属製の架台３の上に合成樹脂製のベース部材４が取り付けられる上記の構成に替わって、高さを高くしたベース部材４のみにてコイン状部材送出装置２の基材を構成することもできる。
【産業上の利用可能性】
【００５４】
本発明は、上記実施形態に限定されず、本発明の技術的範囲を逸脱しない限り種々の変更が考えられ、それに係る種種の実施形態を包含するものである。
【図面の簡単な説明】
【００５５】
【図１】本発明に係るコイン状部材送出装置を備えた遊技機の開扉正面斜視図である。（実施例１）
【図２】本発明に係るコイン状部材送出装置の送出ロータと送出部の関係を示す平面図である。（実施例１）
【図３】本発明に係る通過検出部の構成を示す側面図である。（実施例１）
【図４】本発明に係る可動カバー部分の構成を示す部分断面の側面図である。（実施例１）
【図５】本発明に係る送出ロータの裏側斜視図である。（実施例１）
【図６】本発明に係る送出ロータの部分側面図である。（実施例１）
【図７】本発明に係るコイン状部材送出装置を備えたメダル貨機を遊技機に併設した正面図である。（実施例１）
【図８】本発明に係る可動カバーがコイン状部材によって下降した状態を示す部分断面の側面図である。（実施例１）
【図９】本発明に係る可動カバーが不正操作部材によって下降した状態を示す部分断面の側面図である。（実施例１）
【図１０】本発明に係る検出スイッチ部分の構成を示す斜視図である。（実施例１）
【図１１】本発明に係るコイン状部材送出装置を備えた他の形態のメダル貨機の前面斜視図である。（実施例１）
【符号の説明】
【００５６】
１・・・・遊技機
１Ｄ・・・遊技機の前面に設けた受け皿
２・・・・コイン状部材送出装置
３・・・・架台
４・・・・ベース部材
４Ａ・・・円形状壁
５・・・・コイン状部材の収容部
５Ａ・・・上面開口
５Ｂ・・・下面開口
５Ｅ・・・入口開口
５Ｐ・・・貯蔵容器（ホッパ）
５Ｘ・・・オーバーフロー出口
７・・・・送出ロータ
８・・・・電動機装置
９・・・・回転軸
１０・・・分離孔
１３・・・送出部
１３Ａ・・窪み
１４・・・送出出口
１６・・・可動体
１６Ａ・・ローラ
１６Ｂ・・作動部
２０・・・ロータガイドリング
２３・・・検出スイッチ部
２４・・・発光部
２５・・・受光部
３４Ａ・・制御部
４０・・・可動カバー
４０Ａ・・防護壁
４０Ｂ・・軸支持部
４０Ｃ・・傾斜案内面
４０Ｄ・・スイッチ作動部
４１・・・コイルバネ
４３・・・検出スイッチ
４５・・・不正操作部材
６１・・・制御部
ＣＫ・・・コイン状部材の通過検出部
ＭＫ・・・メダル貨機
【図１】
2008065689.tif 000003
【図２】
2008065689.tif 000004
【図３】
2008065689.tif 000005
【図４】
2008065689.tif 000006
【図５】
2008065689.tif 000007
【図６】
2008065689.tif 000008
【図７】
2008065689.tif 000009
【図８】
2008065689.tif 000010
【図９】
2008065689.tif 000011
【図１０】
2008065689.tif 000012
【図１１】
2008065689.tif 000013